(57)【要約】      （修正有）【課題】  頻尿者は就寝忠に何度もトイレにゆき、冬季は大儀である。そこで、就寝したまま放尿でき、又家庭内にて寝たきりの病人の尿を自動的に採る採尿装置を提供する。【解決手段】尿送り用ポンプ５の吸入側および吐出側のそれぞれに尿導管３，４を接続し、人体の尿道出口に装着する尿採り部具1を吸入側尿導管の先端に接続せしめ、吐出側尿導管の先端に尿収容部７を連接してなる採尿装置。  【選択図】図１
2007203028.tif 000002
【特許請求の範囲】
【請求項１】
尿送り用ポンプの吸入側及び吐出側の夫々に尿導管を接続し、人体の尿道出口に装着する尿採り部具を吸入側尿導管の先端に接続せしめ。
吐出側尿導管の先端に尿収納部を連接してなることを特徴とする採尿装置。
【請求項２】
請求項１記載の採尿装置において、尿送り用ポンブの吸入側に接続したる尿導管の先端に尿道挿入チューブを接続したることを特徴とする採尿装置。
【請求項３】
請求項２記載の採尿装置において、尿送り用ポンブを駆動するモーター作動を放尿検知センサーにて制御することを特徴とする採尿装置。
【請求項４】
請求項１、請求項２、請求項３、記載の採尿装置において、尿を尿送り用ポンプにて吸入し、送出する方法を利用してなることを特徴とする採尿方法。
【発明の詳細な説明】
【技術分野】
【０００１】  本発明は、寝たきりの病人及び頻尿者の尿を容器に収納する装置、及びその方法に関するものである。
【背景技術】
【０００２】  幼児及び病人の大小便を採るものとして、おしめと称するものがあった、しめし、おむつとも称され、相当古い時代より使用されていた、このものは木綿の古着物を利用して自作したものであって、簡単に作ることができ重宝であるが、使用の都度に洗濯の手数を要し非衛生であるため、近年は殆ど使用されなくなった。
木綿おむつに代わり近年は、使い捨ての紙おむつなるものが使用されている、このものは高分子吸水紙にて作られたものである。
放尿用の容器として、昔より現今も使用されて居るものとして、しびんと称するものがある、これは単なる器であるため技術分野に該当しないものである。。【０９０３】  病院では、寝たきりの病人の尿を採る場合に、病人の尿道より細いチューブを膀胱まで挿入して採っている、この方法は簡単であるが、看護士資格の無い者は実施できないため一般的な方法でない、又この方法はベット上に寝た病人から出る尿をチューブにてベット下に置いた容器に入れる方式である、即ち高低差を利用した自然流下方式である、このため、ベット上に寝た場合にのみ可能であり、畳み敷き部屋に寝た人の尿は採れない。【０００４】
【特許文献】特開平７−１９４６３７  特開平１１−１７７４１１  特開２００５−１７７４１７
【発明の開示】
【発明が解決しようとする課題】
【０００５】  家庭内における寝たきりの老人、及び病人の尿処理に際し、近年においては、使い捨ての紙おむつが一般的な方法として採用されているが、この紙おむつは尿をゼラチン状に変化させるため、木綿おむつより進歩したものと言えるが、ゼラチン状の尿は人体に接して不快感を与える点は木綿おむつと同じである、そして尿が許容を越えると溢れ尿の上で寝ている状態になることがある。
介護人が、気をつけて紙おむつの取換えをすれば、問題は解消するが、実際問題としてとても実行できるものでない。
紙おむつ等、使用しないで尿処理が完全にできる方法があれば、病人も介護人も助かり喜ぶ、この要望に応えるものが切望される。
現今の紙おむつは高価なものでないが、毎日何枚か使用するものである、紙おむつを、使用しない方式にすれば、経済的であり、廃棄物もなく、介護人の負担、手数が軽減される。
【課題を解決するための手段】
【０００６】  本発明は上記問題点を解決するためになされたものであって、畳敷き部屋に敷かれた、寝具上に就寝したる病人、或いは頻尿者の放尿を容器に収納するのであるが、容器の置かれた位置が、就寝したる人体と同じ高さであるため尿が流れない、そのため本発明は小形なポンプを利用し、ポンプの押し出し作用と、吸入作用により、人体から出た尿を、高低に関係なく流すことにより尿容器に入れる。【０００７】  尿用のポンプとして使用可能なポンプは各種あるが、価格、性能、使用性等から選定すれば、チューブポンプが好適である、このポンプはチューブをローラーにて、しごく方式であるためローラーポンプとも称し、極めて簡単な構造のポンプである。
簡単であるため故障せず信頼できる、そのため病院では血液を送るポンプとして使用している、漏れのないのがこのポンプの利点でもある。【０００８】  寝たきりの男性及び女性より尿を採る場合は尿道よりチューブを膀胱まで挿入して採る寝たきりの人に挿入したチューブは長期間、挿入を継続させ、抜き出しはしない。
頻尿の男性及び女性から尿を採る場合の器具としては種々なるものが実現しており、どのようなものを利用してもよいが、性器に装着して使用感のよい使い易いものを使用する。【０００９】  ポンプは小形なモーターにて駆動されるが、屋内にて使用するものであるため、家庭の電力線にて駆動するモーターを使用するのが便利である。
頻尿者は身体健全であるためモーターの始動、停止は、尿意があれば自ら手動にてすることができるが、寝たきりの病人はモーターの作動ができない、そのため放尿を検知するセンサーを尿導管の中に設けて、モーターを自動運転する。
【発明の効果】
【００１０】  本発明は採尿装置として初めてポンプを使用した画期的な採尿装置であるため、今までにない効果を奏する。
尿を送る事が可能になったため、畳み部屋に敷かれた寝具に就寝した人の尿を尿容器に送り入れることができ、その操作を自動的にすることもできる。
頻尿者が就寝したままにて放尿することができ、その尿を容器に送り入れる事ができ、トイレに度々起きて行く面倒が解消される、老人が寒い冬季に寝具から起き出てトイレに行くことは脳卒中の発生の危険がある、これを防止することができる。
紙おむつを使用すると費用を要するが、本発明によれば費用を要せず経済的である、又紙おむつのような違和感がなく使用感がよい。【００１１】  現今多用されている使い捨て紙おむつは、古い時代からの木綿おむつに比較すれば格段に使用感は改善されているが、液状の尿がゼラチン状に改善されたものであって、水分が身体に接する不快感は改善されていない、本発明の採尿装置は尿を身体から離れた容器に入れるため、尿による不快感を完全に解消させることができる、これは病人にとって大きな幸いになる、そして介護者にとっても、処置の手数が大幅に減少するため労力を減少させることができる。
【実施例】
【００１２】  以下本発明を図面に基づいて詳細に説明する、図１は本発明の採尿装置及びその作用方法の男性用採尿装置の構成図である、１は陰茎挿入袋であって、薄い柔軟な防水性の素材にて作成されており、現在市販されているコンドームなるものと材質、形状は類似しているが、先端は尿採り出し部１６になっている。
２は陰茎であって、この陰茎２に陰茎挿入袋１を被せて尿を採る、陰茎挿入袋１は陰茎２に密着するため、使用中に陰茎２から離脱することはないが、短小な陰茎２の人に使用する場合は脱落のおそれがあるため、離脱防止を設ける、この離脱防止機構の説明は省略する。【００１３】  陰茎挿入袋１の先端の尿採り出し部１６には尿導管Ａ３が接続されており、陰茎２から出た尿は尿導管Ａ３に流れ入る、尿導管Ａ３の他端はポンブ５の吸入側に接続されているため尿はポンプ５に吸入される。
ポンプ５の吐出側には尿導管Ｂ４が接続されており、尿導管Ｂ４の他端には、尿収納部７が接続部８により接続されている。
ボンプ５より吐出されたる尿は、尿導管Ｂ４を流れ尿収納部７に送り出される、ポンプ５は吸入力と吐出力があるため、陰茎２の位置高さに関係なく、どのような所にも尿を送ることが可能である、このため従来は不可能とされていた、畳み敷き部屋に敷かれた寝具に就寝した人の尿採りが可能になった、この効果が本ポンプ方式の特徴である。【００１４】  尿収納部７は尿を一時的に保管するものであるため、どのようなものにても良いことは、勿論である、１７は尿収納部７内の空気を逃がすための空気孔である、６はポンプ５を駆動するためのモーターであって、屋内にて使用する場合は家庭の一般電力にて駆動させる。
この採尿装置は頻尿の男性が就寝した時に使用することを主目的としている、そのため本装置を装着して就寝する、頻尿者は就寝中に何度も尿意のため目覚める。その時に就寝したまま放尿し、モーター６のスイッチを押しポンプ５を回転させ、放尿が終わればポンプ５を停止させる。
夏季なれば夜中に起きてトイレに行く事は大儀でないが、冬季は苦痛であり又老人にとって脳卒中を発生させる危険がある、本発明はこの問題も解決するものである。【００１５】  図２は本発明の採尿装置及びその作用方法の女性用採尿装置の構成図である、９は女性の性器に装着して尿を採るための女性用採尿部である、このものは現今の市場に多種多様なものがありどのようなものを利用してもよいことは勿論である。
図２は、図１と比較して相違点は、性器に装着して尿を採る部分のみであり、他の部分は全く同一であり、作用についての説明は図１と重複するため省略する。【００１６】  図３は本発明の採尿装置及びその作用方法の尿道挿入チューブ使用の構成図である、１０は男性及び女性の尿道であって、その尿道１０の中に尿道挿入チューブ１１が膀胱１２内まで挿入される、この挿入操作は看護士資格を必要とするが、寝たきりの病人は、チューブを挿入すると長期間、挿入を継続し使用するため、看護士を必要とするのは、当初の挿入時のみである。
病院では寝台を使用しているため、寝台下に尿容器を置けば、尿は上から下に自然落下するが、家庭の畳み部屋に寝た病人の場合は、尿が落下せず不可能である、そこで本発明の採尿装置はポンプ５にて尿を吸入し、吐出させることにより可能にする。
家庭にて寝たきりになっている病人は紙おむつにて大小便を一括して採っていた、この方法は尿のため不潔になり、尿が紙おむつから溢れ出る事もあり不潔であった。
高分子吸水紙による紙おむつは尿をゼラチン状に変質させるため従来の木綿おむつに比較すると相当な進歩であるが、液体がゲル状になったと言う程度の進歩であって、人間の皮膚に与える尿水分の不快感は、まだ改善できていない、尿を人体に接触させない事が肝要である、本採尿装置はその趣旨に沿ったものであるため使用感がよい。
図３は、図１及び図２に比較して尿道挿入チューブ１１のみが相違しており、その他は全く同一なるため作用も同一である、そのため作用説明は重複するので省略する。【００１７】  図４は本発明の採尿装置及びその作用方法の電気回路図であって、６はモーターであって、図１、図２、図３、の各図に記載されたモーター６に該当するものである、本採尿装置は屋内にて使用されるものなるため一般家庭の電力にて運転される。
１５は電源端子である、１３は開閉スイッチにして尿意によって手動にて操作する、１４は、尿の流れる通路に設けられた、尿検知センサーであって、放尿を検知して電路を開閉する、寝たきりの病人自身は、操作不能なるため、自動運転が必要になる。そうすれば介護者の負担も減少する。
大便のみを紙おむつにて処理することにより、病人は大幅に清潔になり、介護の手数も半減される、紙おむつ費も減額される。
本発明はこのような実施例に何等限定されるものでなく、本発明の要旨を逸脱しない範囲において種々なる態様にて実施し得ることは勿論である。
【産業上の利用の可能性】
【００１８】  本発明の採尿装置は頻尿者用として初めてのものである、又家庭にて寝たきりになっている病人用としても初めて採尿装置である、どちらも要望されていたものであるが実現できなかった、それを解決した本発明は実施化が大きく待望されている。
【図面の簡単な説明】
【００１９】
【図１】は本発明の採尿装置及びその作用方法の男性用採尿装置の構成図である。
【図２】は本発明の採尿装置及びその作用方法の女性用採尿装置の構成図である。
【図３】は本発明の採尿装置及びその作用方法の尿道挿入チューブ使用の構成図である。
【図４】は本発明の採尿装置及びその作用方法の電気回路図である。
【符号の説明】
【００２０】  １  陰茎挿入袋
２  陰茎
３  尿導管Ａ
４  尿導管Ｂ
５  ポンプ
６  モーター
７  尿収納部
８  接続部
９  女性用採尿部
１０  尿道
１１  尿道挿入チューブ
１２  膀胱
１３  開閉スイッチ
１４  尿検知センサー
１５  電源端子
１６  尿採り出し部
１７  空気孔
【図１】
2007203028.tif 000003
【図２】
2007203028.tif 000004
【図３】
2007203028.tif 000005
【図４】
2007203028.tif 000006